(57)【特許請求の範囲】
【請求項１】
表示装置の表示画面が露出した第一壁と、前記第一壁の前記表示画面と交差した第一方向に離間して位置された第二壁と、前記第一壁と前記第二壁との間に亘った第三壁と、前記第一壁と前記第二壁との間に亘るとともに前記第三壁と交差した第四壁と、を有した筐体と、
前記第三壁と前記第四壁との間の角部に配置され、前記第一壁、前記第二壁、前記第三壁、および前記第四壁のそれぞれの壁の表面よりも突出した状態に設けられた弾性体と、
を備え、
前記筐体は、少なくとも前記第一壁を有した第一カバーと、前記第一カバーの前記第一方向に位置された第二カバーと、を有し、
前記弾性体は、前記角部を覆ったベース部と、前記ベース部から前記筐体の中心部側に突出し前記第一カバーと前記第二カバーとの間に挟まれた取付片部と、を有し、
前記第一カバーには、前記第一壁から前記第一方向に突出したボス部が設けられ、
前記取付片部には、前記ボス部が前記第一方向に貫通する開口部が設けられ、
前記弾性体は、前記取付片部における前記開口部の周縁部から前記第一方向の反対方向に突出した突出部を有した、電子機器。
【請求項２】
前記第一カバーは、前記第三壁と、前記第三壁に設けられテザーを引っ掛ける引掛部の一部を構成した第一部分と、を有し、
前記第二カバーは、前記引掛部の一部を構成し前記第三壁と交差した第二方向に前記第一部分と重なった第二部分を有した、請求項１に記載の電子機器。
【請求項３】
前記筐体は、前記第二壁と、前記第二壁に沿うとともに前記引掛部の第二壁側の端部と前記第二方向に並んだ面を含む台座部と、を有した第三カバーを有した、請求項２に記載の電子機器。
【請求項４】
表示装置の表示画面が露出した第一壁と、前記第一壁の前記表示画面と交差した第一方向に離間して位置された第二壁と、前記第一壁と前記第二壁との間に亘った第三壁と、前記第一壁と前記第二壁との間に亘るとともに前記第三壁と交差した第四壁と、を有した筐体と、
前記第三壁と前記第四壁との間の角部に配置され、前記第一壁、前記第二壁、前記第三壁、および前記第四壁のそれぞれの壁の表面よりも突出した状態に設けられた弾性体と、
を備え、
前記筐体は、少なくとも前記第一壁を有した第一カバーと、前記第一カバーの前記第一方向に位置された第二カバーと、を有し、
前記弾性体は、前記角部を覆ったベース部と、前記ベース部から前記筐体の中心部側に突出し前記第一カバーと前記第二カバーとの間に挟まれた取付片部と、を有し、
前記第一カバーは、前記第三壁と、前記第三壁に設けられテザーを引っ掛ける引掛部の一部を構成した第一部分と、を有し、
前記第二カバーは、前記引掛部の一部を構成し前記第三壁と交差した第二方向に前記第一部分と重なった第二部分を有し、
前記筐体は、前記第二壁と、前記第二壁に沿うとともに前記引掛部の第二壁側の端部と前記第二方向に並んだ面を含む台座部と、を有した第三カバーを有した、電子機器。
【請求項５】
前記第一カバーには、前記第一壁から前記第一方向に突出したボス部が設けられ、
前記取付片部には、前記ボス部が前記第一方向に貫通する開口部が設けられた、請求項４に記載の電子機器。
【請求項６】
前記弾性体は、前記取付片部における前記開口部の周縁部から前記第一方向の反対方向に突出した突出部を有した、請求項５に記載の電子機器。
【請求項７】
前記第一カバーには、前記第一方向に開放された溝部が設けられ、
前記弾性体は、前記溝部と係合され前記第一カバーと前記中心部とは反対側に引っ掛かる係合部を有した、請求項１〜６のうちいずれか一つに記載の電子機器。
【請求項８】
前記弾性体には、前記ベース部の前記中心部とは反対側の外面から前記中心部側に凹んだ凹部が設けられた、請求項１〜７のうちいずれか一つに記載の電子機器。
【発明の詳細な説明】
【技術分野】
【０００１】
本発明は、電子機器に関する。
【背景技術】
【０００２】
従来、電子機器として、筐体と、筐体の底壁に設けられ設置面と当接可能なゴム脚（弾性体）と、を備えたノートブック型のパーソナルコンピュータが、知られている（例えば、特許文献１参照）。
【０００３】
また、電子機器として、筐体と、筐体の角部に設けられ角落下時に設置面と当接する突起と、を備えたタブレット型のパーソナルコンピュータが、知られている（例えば、特許文献２参照）。
【先行技術文献】
【特許文献】
【０００４】
【特許文献１】特許第６１３８３０３号公報
【特許文献２】特許第６５６１７０５号公報
【発明の概要】
【発明が解決しようとする課題】
【０００５】
この種の電子機器では、例えば、筐体と設置面との干渉をより抑制できたり等、より不都合が少なくなるよう改善された新規な構成が得られれば、有益である。
【０００６】
そこで、本発明の課題の一つは、より不都合が少なくなるよう改善された新規な構成の電子機器を得ることである。
【課題を解決するための手段】
【０００７】
本発明の第一態様にかかる電子機器は、表示装置の表示画面が露出した第一壁と、前記第一壁の前記表示画面と交差した第一方向に離間して位置された第二壁と、前記第一壁と前記第二壁との間に亘った第三壁と、前記第一壁と前記第二壁との間に亘るとともに前記第三壁と交差した第四壁と、を有した筐体と、前記第三壁と前記第四壁との間の角部に配置され、前記第一壁、前記第二壁、前記第三壁、および前記第四壁のそれぞれの壁の表面よりも突出した状態に設けられた弾性体と、を備え、前記筐体は、少なくとも前記第一壁を有した第一カバーと、前記第一カバーの前記第一方向に位置された第二カバーと、を有し、前記弾性体は、前記角部を覆ったベース部と、前記ベース部から前記筐体の中心部側に突出し前記第一カバーと前記第二カバーとの間に挟まれた取付片部と、を有し、前記第一カバーには、前記第一壁から前記第一方向に突出したボス部が設けられ、前記取付片部には、前記ボス部が前記第一方向に貫通する開口部が設けられ、前記弾性体は、前記取付片部における前記開口部の周縁部から前記第一方向の反対方向に突出した突出部を有する。
【０００８】
上記の第一態様にかかる電子機器において、前記第一カバーは、前記第三壁と、前記第三壁に設けられテザーを引っ掛ける引掛部の一部を構成した第一部分と、を有し、前記第二カバーは、前記引掛部の一部を構成し前記第三壁と交差した第二方向に前記第一部分と重なった第二部分を有する。
【０００９】
また、上記の第一態様にかかる電子機器において、前記筐体は、前記第二壁と、前記第二壁に沿うとともに前記引掛部の第二壁側の端部と前記第二方向に並んだ面を含む台座部と、を有した第三カバーを有する。
【００１０】
本発明の第二態様にかかる電子機器は、表示装置の表示画面が露出した第一壁と、前記第一壁の前記表示画面と交差した第一方向に離間して位置された第二壁と、前記第一壁と前記第二壁との間に亘った第三壁と、前記第一壁と前記第二壁との間に亘るとともに前記第三壁と交差した第四壁と、を有した筐体と、前記第三壁と前記第四壁との間の角部に配置され、前記第一壁、前記第二壁、前記第三壁、および前記第四壁のそれぞれの壁の表面よりも突出した状態に設けられた弾性体と、を備え、前記筐体は、少なくとも前記第一壁を有した第一カバーと、前記第一カバーの前記第一方向に位置された第二カバーと、を有し、前記弾性体は、前記角部を覆ったベース部と、前記ベース部から前記筐体の中心部側に突出し前記第一カバーと前記第二カバーとの間に挟まれた取付片部と、を有し、前記第一カバーは、前記第三壁と、前記第三壁に設けられテザーを引っ掛ける引掛部の一部を構成した第一部分と、を有し、前記第二カバーは、前記引掛部の一部を構成し前記第三壁と交差した第二方向に前記第一部分と重なった第二部分を有し、前記筐体は、前記第二壁と、前記第二壁に沿うとともに前記引掛部の第二壁側の端部と前記第二方向に並んだ面を含む台座部と、を有した第三カバーを有する。
【００１１】
上記の第二態様にかかる電子機器において、前記第一カバーには、前記第一壁から前記第一方向に突出したボス部が設けられ、前記取付片部には、前記ボス部が前記第一方向に貫通する開口部が設けられる。
【００１２】
また、上記の第二態様にかかる電子機器において、前記弾性体は、前記取付片部における前記開口部の周縁部から前記第一方向の反対方向に突出した突出部を有する。
【００１３】
上記の第一態様または第二態様にかかる電子機器において、前記第一カバーには、前記第一方向に開放された溝部が設けられ、前記弾性体は、前記溝部と係合され前記第一カバーと前記中心部とは反対側に引っ掛かる係合部を有する。
【００１４】
また、上記の第一態様または第二態様にかかる電子機器において、前記弾性体には、前記ベース部の前記中心部とは反対側の外面から前記中心部側に凹んだ凹部が設けられる。
【発明の効果】
【００１５】
本発明の上記態様によれば、筐体と設置面との干渉をより抑制できたり等、より不都合が少なくなるよう改善された新規な構成の電子機器を得ることができる。
【図面の簡単な説明】
【００１６】
【図１】図１は、実施形態の電子機器の正面側からの例示的な斜視図である。
【図２】図２は、実施形態の電子機器の背面側からの例示的な斜視図である。
【図３】図３は、図２の視線の電子機器の筐体におけるリヤカバーの分解斜視図である。
【図４】図４は、図３のフロントカバーおよびミドルカバーの分解斜視図である。
【図５】図５は、図４のフロントカバーにおける弾性体の分解斜視図である。
【図６】図６は、図５の角部の近傍における分解斜視図である。
【図７】図７は、図５のフロントカバーにおける角部の拡大図である。
【図８】図８は、実施形態の弾性体の例示的な斜視図である。
【図９】図９は、実施形態の弾性体の例示的な断面図である。
【図１０】図１０は、図１の視線の電子機器の筐体における角部の拡大図である。
【図１１】図１１は、図１０の電子機器の筐体におけるフロントカバーが取り外された状態の図である。
【発明を実施するための形態】
【００１７】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１８】
なお、本明細書では、序数は、部品や、部材、部位、位置、方向等を区別するためだけに用いられており、順番や優先度を示すものではない。
【００１９】
［実施形態］
図１は、実施形態の電子機器１の正面側からの斜視図であり、図２は、電子機器１の背面側からの斜視図である。なお、以下の説明では、便宜上、互いに直交する三方向が定義されている。Ｘ方向は、電子機器１の厚さ方向（前後方向）に沿い、Ｙ方向は、電子機器１の横幅方向（左右方向、長手方向）に沿い、Ｚ方向は、電子機器１の縦幅方向（上下方向、短手方向）に沿う。
【００２０】
また、以下の説明では、Ｘ方向は後方、Ｘ方向の反対方向は前方とも称され、Ｙ方向は左方、Ｙ方向の反対方向は右方とも称され、Ｚ方向は上方、Ｚ方向の反対方向は下方とも称される場合がある。Ｘ方向は、第一方向の一例であり、Ｙ方向は、第二方向の一例である。
【００２１】
図１，２に示されるように、電子機器１は、例えば、タブレット型のパーソナルコンピュータとして構成されている。電子機器１は、筐体２と、表示装置３と、タッチパネル４と、内部部品５と、弾性体６と、を備えている。なお、電子機器１は、この例には限定されず、例えば、スマートフォンや、携帯電話、ゲーム機等であってもよい。電子機器１は、携帯型情報機器等とも称される。
【００２２】
筐体２は、例えば、Ｘ方向に扁平な直方体状の箱型に構成されている。筐体２は、前壁２ａや、後壁２ｂ、左壁２ｃ、上壁２ｄ、右壁２ｅ、下壁２ｆ等の複数の壁を有している。左壁２ｃ、上壁２ｄ、右壁２ｅ、および下壁２ｆは、側壁や、周壁、立壁等とも称される。
【００２３】
前壁２ａは、表示装置３の表示画面３ａが露出する四角形状の枠状に構成されている。後壁２ｂは、Ｘ方向と直交する方向（ＹＺ平面）に沿って延びた四角形状の板状に構成され、前壁２ａのＸ方向に離間して位置されている。前壁２ａは、筐体２の前端部を構成し、後壁２ｂは、筐体２の後端部を構成している。前壁２ａは、第一壁の一例であり、後壁２ｂは、第二壁の一例である。
【００２４】
左壁２ｃおよび右壁２ｅは、いずれも、Ｙ方向と直交する方向（ＸＺ平面）に沿って延びており、Ｙ方向に間隔をあけて互いに平行に設けられている。左壁２ｃは、前壁２ａおよび後壁２ｂのＹ方向の端部の間に亘り、右壁２ｅは、前壁２ａおよび後壁２ｂのＹ方向の反対方向の端部の間に亘っている。左壁２ｃは、筐体２の左端部を構成し、右壁２ｅは、筐体２の右端部を構成している。左壁２ｃおよび右壁２ｅは、第三壁の一例である。
【００２５】
上壁２ｄおよび下壁２ｆは、いずれも、Ｚ方向と直交する方向（ＸＹ平面）に沿って延びており、Ｚ方向に間隔をあけて互いに平行に設けられている。上壁２ｄは、前壁２ａおよび後壁２ｂのＺ方向の端部の間に亘り、下壁２ｆは、前壁２ａおよび後壁２ｂのＺ方向の反対方向の端部の間に亘っている。上壁２ｄは、筐体２の上端部を構成し、下壁２ｆは、筐体２の下端部を構成している。上壁２ｄおよび下壁２ｆは、第四壁の一例である。
【００２６】
なお、左壁２ｃ、上壁２ｄ、右壁２ｅ、および下壁２ｆには、例えば、電源ボタン等の操作部や、周辺機器とのドッキング用のコネクタ３２、後述するタッチペンのテザーを引っ掛ける引掛部２ｚ、各種の表示ランプ等が設けられている。
【００２７】
また、筐体２には、四つの角部２ｈ〜２ｋが設けられている。角部２ｈは、左壁２ｃと上壁２ｄとの交差部によって構成され、角部２ｉは、上壁２ｄと右壁２ｅとの交差部によって構成されている。また、角部２ｊは、右壁２ｅと下壁２ｆとの交差部によって構成され、角部２ｋは、下壁２ｆと左壁２ｃとの交差部によって構成されている。各角部２ｈ〜２ｋは、角丸（角Ｒ）状に構成され、後述する弾性体６によって覆われている。
【００２８】
図３は、図２の視線の電子機器１の筐体２におけるリヤカバー２３の分解斜視図であり、図４は、図３のフロントカバー２１およびミドルカバー２２の分解斜視図である。図３，４に示されるように、筐体２は、例えば、フロントカバー２１や、ミドルカバー２２、リヤカバー２３等の複数の部品（分割体）の組み合わせによって構成されている。フロントカバー２１、ミドルカバー２２、およびリヤカバー２３は、Ｘ方向に並んでいる。
【００２９】
リヤカバー２３は、例えば、後壁２ｂと、左壁２ｃ、上壁２ｄ、右壁２ｅ、および下壁２ｆのそれぞれの一部と、を有している。リヤカバー２３とミドルカバー２２との間には、内部部品５が収容されている。リヤカバー２３は、フロントカバー２１およびミドルカバー２２に対して、爪による所謂スナップフィットやネジ等の結合具によって結合（一体化）される。リヤカバー２３は、第三カバーの一例である。
【００３０】
フロントカバー２１は、例えば、前壁２ａと、左壁２ｃ、上壁２ｄ、右壁２ｅ、および下壁２ｆのそれぞれの一部と、を有している。フロントカバー２１とミドルカバー２２との間には、表示装置３が収容されている。フロントカバー２１は、ミドルカバー２２に対して、爪による所謂スナップフィットやネジ等の結合具３１（図６参照）によって結合される。フロントカバー２１は、第一カバーの一例である。
【００３１】
ミドルカバー２２は、例えば、左壁２ｃ、上壁２ｄ、右壁２ｅ、および下壁２ｆのそれぞれの一部と、中壁２ｇと、を有している。中壁２ｇは、前壁２ａと後壁２ｂとの間に位置され、左壁２ｃと右壁２ｅとの間、および上壁２ｄと下壁２ｆとの間に亘っている。中壁２ｇは、後壁２ｂと平行であり、筐体２内をＸ方向に内部部品５側の空間と表示装置３側の空間とに仕切っている。ミドルカバー２２は、第二カバーの一例であり、中壁２ｇは、第五壁の一例である。中壁２ｇは、仕切壁等とも称される。
【００３２】
表示装置３は、例えば、液晶ディスプレイ（ＬＣＤ，Liquid  Crystal  Display）である。表示装置３は、Ｘ方向に扁平な直方体状に構成されている。表示装置３の表示画面３ａ（図１参照）は、タッチパネル４の透明部によって覆われている。なお、表示装置３は、この例には限定されず、例えば、有機ＥＬディスプレイ（ＯＥＬＤ，Organic  Electro-Luminescent  Display）等であってもよい。また、タッチパネル４は、例えば、表示装置３内に組み込まれた所謂インセルタッチパネルとして構成されてもよい。
【００３３】
内部部品５は、例えば、基板や、電池等である。基板には、ＣＰＵ（Central  Processing  Unit）や、ＲＯＭ（Read  Only  Memory）、ＲＡＭ（Random  Access  Memory）等の複数の電子部品が実装されている。基板内の配線とこれら複数の電子部品とによって、電子機器１の制御回路の少なくとも一部が構成されている。
【００３４】
図５は、図４のフロントカバー２１における弾性体６の分解斜視図であり、図６は、図５の角部２ｊの近傍における分解斜視図である。図５，６に示されるように、弾性体６は、例えば、筐体２の四つの角部２ｈ〜２ｋに着脱可能（分離可能）に取り付けられている。具体的には、弾性体６は、開口部２ｘを貫通するねじ等の結合具３１によって、ミドルカバー２２とともにフロントカバー２１のボス部２ｎに共締め（固定）されている。
【００３５】
弾性体６は、例えば、エラストマやゴム等によって構成されている。弾性体６は、電子機器１が置かれる不図示の設置面と筐体２との干渉を抑制する機能や、筐体２が設置面に対して滑ったりがたついたりするのを抑制する機能、筐体２の角部２ｈ〜２ｋを保護する機能等を有している。弾性体６は、保護部材（コーナーガード）や、滑り止め部材、ゴム脚等とも称される。
【００３６】
弾性体６は、例えば、ベース部６ａと、取付片部６ｂと、を有している。ベース部６ａは、例えば、筐体２の中心部Ｃを中心とした円弧状に構成されている。言い換えると、ベース部６ａは、角部２ｈ〜２ｋから中心部Ｃとは反対側に凸の状態で湾曲している。ベース部６ａは、角部２ｈ〜２ｋを中心部Ｃとは反対側、すなわち筐体２の外側から覆っている。ベース部６ａは、覆部や、露出部等とも称される。
【００３７】
取付片部６ｂは、ベース部６ａから中心部Ｃ側に突出している。取付片部６ｂには、上述した結合具３１およびボス部２ｎがＸ方向に貫通する開口部６ｄが設けられている。弾性体６は、取付片部６ｂがフロントカバー２１とミドルカバー２２との間に挟まれた状態で、筐体２に結合（固定）される。取付片部６ｂは、張出部や、延部、水平部等とも称される。
【００３８】
次に、弾性体６の取付構造についてより詳しく説明する。図７は、図５のフロントカバー２１における角部２ｋの拡大図であり、図８は、弾性体６の斜視図であり、図９は、弾性体６の断面図である。なお、角部２ｋならびに当該角部２ｋに配置される弾性体６の構成（形状）は、他の角部２ｈ〜２ｊならびに当該角部２ｈ〜２ｊに配置される弾性体６の構成（形状）と同じである。
【００３９】
図７〜９に示されるように、フロントカバー２１の角部２ｋには、立壁２ｍや、リブ２ｐ、ボス部２ｎ、仕切壁２ｒ等の複数の取付壁が設けられている。立壁２ｍ、リブ２ｐ、ボス部２ｎ、および仕切壁２ｒは、それぞれ前壁２ａからＸ方向、すなわち後方に突出している。
【００４０】
立壁２ｍは、角部２ｋを構成する二つの下壁２ｆおよび左壁２ｃの間に亘って設けられている。立壁２ｍは、弾性体６のベース部６ａに沿った円弧状に構成されている。すなわち、立壁２ｍは、角部２ｋから中心部Ｃとは反対側に凸の状態で湾曲している。立壁２ｍには、Ｘ方向に開放された複数の溝部２ｓが設けられている。溝部２ｓは、スリットや、切欠部等とも称される。
【００４１】
また、立壁２ｍと下壁２ｆおよび左壁２ｃとの間には、中心部Ｃ側に凹んだ凹部２ｙが設けられている。言い換えると、下壁２ｆの表面２ｆ１および左壁２ｃの表面２ｃ１は、立壁２ｍの表面よりも中心部Ｃとは反対側に突出している。図９に示されるように、弾性体６は、ベース部６ａが凹部２ｙを塞いだ（覆った）状態で、フロントカバー２１（筐体２）と一体化される。凹部２ｙは、段差等とも称される。
【００４２】
ボス部２ｎは、立壁２ｍの中心部Ｃ側、すなわち筐体２内側に離間して位置されている。ボス部２ｎは、円筒状に構成され、外周面２ｎ１と、内周面２ｎ２と、を有している。内周面２ｎ２には、上述した結合具３１の雄ネジと噛み合う雌ネジが設けられている。ボス部２ｎは、リブ２ｐおよび仕切壁２ｒよりもＸ方向に突出している。このボス部２ｎの先端側の外周面２ｎ１は、上述した取付片部６ｂの開口部６ｄの内面と面する。
【００４３】
リブ２ｐは、下壁２ｆおよび左壁２ｃに対して傾斜し、下壁２ｆとボス部２ｎとの間および左壁２ｃとボス部２ｎとの間に亘るように延びている。リブ２ｐと立壁２ｍとの間には、Ｘ方向に開放された溝部２ｔが設けられている。溝部２ｔは、溝部２ｓを介して立壁２ｍの中心部Ｃとは反対側（筐体２外側）と連通している。溝部２ｔは、収容室や、凹部等とも称される。
【００４４】
仕切壁２ｒは、立壁２ｍとボス部２ｎとの間に亘るように延びている。フロントカバー２１には、立壁２ｍの周方向（長手方向）に間隔をあけて複数の仕切壁２ｒが設けられている。仕切壁２ｒは、溝部２ｔを立壁２ｍの周方向に複数の空間に仕切っている。そして、各溝部２ｔおよび溝部２ｓには、弾性体６の係合部６ｃ（図８，９参照）が係合される。
【００４５】
係合部６ｃは、ベース部６ａから中心部Ｃ側（立壁２ｍ側）に突出している。係合部６ｃは、例えば、ベース部６ａの中心部Ｃ側の内面６ａ２において取付片部６ｂとＸ方向の反対方向にずれて位置されている。ベース部６ａには、溝部２ｓ，２ｔに対応して複数の係合部６ｃが互いに間隔をあけて設けられている。
【００４６】
係合部６ｃは、例えば、第一部分６ｃ１と、第二部分６ｃ２（図９参照）と、をそれぞれ有している。第二部分６ｃ２は、ベース部６ａから中心部Ｃ側に延び、立壁２ｍの溝部２ｓを貫通している。第一部分６ｃ１は、第二部分６ｃ２のベース部６ａとは反対側の端部から立壁２ｍに沿って延びている。係合部６ｃは、第一部分６ｃ１および第二部分６ｃ２によって、Ｘ方向と直交したＹＺ断面が略Ｔ字状に構成されている。
【００４７】
係合部６ｃは、立壁２ｍの溝部２ｓ，２ｔにＸ方向から係合される。第一部分６ｃ１は、係合部６ｃが溝部２ｓ，２ｔに係合された状態では、立壁２ｍにおける溝部２ｓの周縁部と面している。言い換えると、ベース部６ａと第一部分６ｃ１との間に立壁２ｍが挟まれる。これにより、弾性体６のフロントカバー２１に対する中心部Ｃとは反対側への移動が制限されている。
【００４８】
また、弾性体６には、突出部６ｅ（図６，８参照）が設けられている。突出部６ｅは、取付片部６ｂにおける開口部６ｄの周縁部からＸ方向の反対方向に突出している。突出部６ｅは、開口部６ｄによって取付片部６ｂの幅が狭くなった部分を補強している。突出部６ｅは、弾性体６がフロントカバー２１に取り付けられた状態では、ボス部２ｎの外周面２ｎ１に支持される。
【００４９】
また、弾性体６には、凹部６ｆ（図６，１０参照）が設けられている。凹部６ｆは、ベース部６ａの内面６ａ２とは反対側の外面６ａ１から中心部Ｃ側に凹んでいる。凹部６ｆは、ベース部６ａの周方向（長手方向）の両端部に設けられている。凹部６ｆは、例えば、コネクタ３２（図１参照）と接続されるクレードル等の周辺機器の逃げ溝として機能することができる。
【００５０】
ここで、本実施形態では、ベース部６ａは、弾性体６が筐体２に取り付けられた状態では、左壁２ｃ、上壁２ｄ、右壁２ｅ、および下壁２ｆのそれぞれの壁の表面２ｃ１，２ｄ１，２ｅ１，２ｆ１よりも中心部Ｃとは反対側（筐体２外側）に突出している。また、ベース部６ａは、前壁２ａの表面２ａ１よりもＸ方向の反対方向に突出しているとともに、後壁２ｂの表面２ｂ１よりもＸ方向に突出している。これにより、電子機器１が置かれる不図示の設置面と筐体２との干渉が抑制されている。
【００５１】
図１０は、図１の筐体２における角部２ｉの拡大図であり、図１１は、図１０の筐体２におけるフロントカバー２１が取り外された状態の図である。図１０，１１に示されるように、筐体２の右壁２ｅには、不図示のタッチペンのテザーを引っ掛ける引掛部２ｚが設けられている。なお、引掛部２ｚの構成（形状）は、左壁２ｃに設けられた引掛部２ｚの構成（形状）と同じである。
【００５２】
右壁２ｅには、例えば、引掛部２ｚの一部を構成する開口部２ｕが設けられている。開口部２ｕは、例えば、フロントカバー２１に設けられた貫通孔２ｕ１と、ミドルカバー２２（図１１参照）に設けられた凹部２ｕ２と、を含んでいる。凹部２ｕ２は、貫通孔２ｕ１のＹ方向に並んでいる。凹部２ｕ２は、Ｙ方向に凹み、Ｙ方向の反対方向に開放されている。
【００５３】
引掛部２ｚは、例えば、第一部分２ｚ１（図１０参照）と、第二部分２ｚ２（図１１参照）と、を有している。第一部分２ｚ１は、フロントカバー２１に設けられ、貫通孔２ｕ１の内面をＸ方向に亘っている。第二部分２ｚ２は、ミドルカバー２２に設けられ、凹部２ｕ２の内面からＸ方向に延びている。
【００５４】
そして、第二部分２ｚ２は、第一部分２ｚ１とＹ方向に重なって位置されている。これにより、引掛部２ｚの第一部分２ｚ１が補強され、ひいてはテザーから引掛部２ｚに入力される荷重に対する剛性や強度がより高まりやすい。第一部分２ｚ１は、第一支柱等とも称され、第二部分２ｚ２は、第二支柱等とも称される。
【００５５】
また、リヤカバー２３には、台座部２ｖが設けられている。台座部２ｖは、後壁２ｂからＸ方向の反対方向に突出し、凹部２ｕ２内に挿入されている。台座部２ｖは、後壁２ｂに沿うとともに凹部２ｕ２と面した面２ｖ１を有している。面２ｖ１は、開口部２ｕ内に挿入されたテザーを支持する。
【００５６】
そして、本実施形態では、台座部２ｖの面２ｖ１が、引掛部２ｚにおける後壁２ｂ側の端部２ｚ３とＹ方向に並んで位置されている。これにより、テザーが面２ｖ１よりも後壁２ｂ側に入り込むのが抑制されている。面２ｖ１は、受面や、支持面、台座面等とも称される。
【００５７】
以上のように、本実施形態では、電子機器１は、筐体２の角部２ｈ〜２ｋに配置され、前壁２ａ（第一壁）、後壁２ｂ（第二壁）、左壁２ｃ（第三壁）、上壁２ｄ（第四壁）、右壁２ｅ（第三壁）、および下壁２ｆ（第四壁）のそれぞれの壁の表面２ａ１〜２ｆ１よりも突出した状態に設けられた弾性体６を備える。
【００５８】
このような構成によれば、例えば、弾性体６によって電子機器１が置かれる設置面と筐体２との干渉がより抑制されやすい。その結果、例えば、前壁２ａ、後壁２ｂ、左壁２ｃ、上壁２ｄ、右壁２ｅ、および下壁２ｆのそれぞれの壁が設置面と面する複数の姿勢のうちどの姿勢で置かれた場合にも、電子機器１が設置面に対して滑ったりがたついたりするのを抑制することができる。また、例えば、電子機器１が設置面に対してどの姿勢で落下した場合にも弾性体６が設置面と当接しやすくなり、ひいては筐体２やタッチパネル４等の保護性がより高まりやすい。
【００５９】
また、本実施形態では、筐体２は、少なくとも前壁２ａを有したフロントカバー２１（第一カバー）と、フロントカバー２１のＸ方向に位置されたミドルカバー２２（第二カバー）と、を有し、弾性体６は、角部２ｈ〜２ｋを覆ったベース部６ａと、ベース部６ａから筐体２の中心部Ｃ側に突出しフロントカバー２１とミドルカバー２２との間に挟まれた取付片部６ｂと、を有する。
【００６０】
このような構成によれば、例えば、ベース部６ａから突出した取付片部６ｂを利用して、弾性体６をフロントカバー２１とミドルカバー２２との間に取り付けることができる。また、例えば、ベース部６ａおよび取付片部６ｂによって弾性体６の断面係数が増大し、ひいては弾性体６と筐体２とが別体（別成型）で構成された場合にも、弾性体６の剛性や強度が確保されやすい。また、仮にミドルカバー２２が取付片部６ｂとフロントカバー２１との間に挟まれる構成であった場合、結合具３１による取付片部６ｂの破損を抑制するために、結合具３１の頭部の座面を比較的広く確保する必要がある。その点、本実施形態によれば、取付片部６ｂがフロントカバー２１とミドルカバー２２との間に挟まれる構成であるため、取付片部６ｂに頭部の座面を広く確保する必要が無くなり、ひいては取付片部６ｂの中心部Ｃ側への突出量をより小さくすることができる。
【００６１】
また、本実施形態では、フロントカバー２１には、Ｘ方向に開放された溝部２ｓ，２ｔが設けられ、弾性体６は、溝部２ｓ，２ｔと係合されフロントカバー２１と中心部Ｃとは反対側に引っ掛かる係合部６ｃを有している。
【００６２】
このような構成によれば、例えば、係合部６ｃと溝部２ｓ，２ｔとの係合によって、弾性体６のフロントカバー２１に対する中心部Ｃとは反対側への移動が制限され、ひいては弾性体６が筐体２から外れるのを抑制できる。
【００６３】
また、本実施形態では、フロントカバー２１には、前壁２ａからＸ方向に突出したボス部２ｎが設けられ、取付片部６ｂには、ボス部２ｎがＸ方向に貫通する開口部６ｄが設けられる。
【００６４】
このような構成によれば、例えば、ボス部２ｎと開口部６ｄの内面との当接によって、弾性体６のフロントカバー２１に対するＸ方向と交差した方向（ＹＺ平面）への移動が制限され、ひいては弾性体６が筐体２から外れるのをより一層抑制できる。また、例えば、ボス部２ｎに締結される結合具３１を利用して、取付片部６ｂをフロントカバー２１とミドルカバー２２との間に挟んだ状態で共締めすることができる。
【００６５】
また、本実施形態では、弾性体６は、取付片部６ｂにおける開口部６ｄの周縁部からＸ方向の反対方向に突出した突出部６ｅを有している。
【００６６】
このような構成によれば、例えば、突出部６ｅによって開口部６ｄの周縁部を補強することができる。よって、例えば、取付片部６ｂの剛性や強度がより高まりやすい。また、例えば、突出部６ｅとボス部２ｎの外周面２ｎ１との当接によって、弾性体６が筐体２から中心部Ｃとは反対側に外れるのをより一層抑制できる。
【００６７】
また、本実施形態では、弾性体６には、ベース部６ａの中心部Ｃとは反対側の外面６ａ１から中心部Ｃ側に凹んだ凹部６ｆが設けられている。
【００６８】
このような構成によれば、例えば、ユーザーが外面６ａ１に設けられた凹部６ｆに手指を掛けることにより、設置面に置かれた電子機器１をより容易に持ち上げることができる。また、例えば、凹部６ｆによって筐体２と当該筐体２にドッキングされる周辺機器との干渉を抑制することができる。
【００６９】
また、本実施形態では、フロントカバー２１は、右壁２ｅと、右壁２ｅに設けられテザーを引っ掛ける引掛部２ｚの一部を構成する第一部分２ｚ１と、を有し、ミドルカバー２２は、引掛部２ｚの一部を構成し右壁２ｅと交差したＹ方向（第二方向）に第一部分２ｚ１と重なった第二部分２ｚ２を有する。
【００７０】
このような構成によれば、例えば、ミドルカバー２２の第二部分２ｚ２によって引掛部２ｚの第一部分２ｚ１を補強することができる。よって、例えば、テザーから引掛部２ｚに入力される荷重に対する剛性や強度がより高まりやすい。
【００７１】
また、本実施形態では、筐体２は、後壁２ｂと、後壁２ｂに沿うとともに引掛部２ｚの後壁２ｂ側の端部２ｚ３とＹ方向に並んだ面２ｖ１を含む台座部２ｖと、を有したリヤカバー２３（第三カバー）を有している。
【００７２】
このような構成によれば、例えば、テザーが面２ｖ１（引掛部２ｚ）よりも後壁２ｂ側に入り込むのが抑制され、ひいてはテザーを引掛部２ｚに取り付けたり取り外したりする作業に要する手間が減りやすい。
【００７３】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００７４】
１…電子機器、２…筐体、２ａ…前壁（第一壁）、２ｂ…後壁（第二壁）、２ｃ…左壁（第三壁）、２ｄ…上壁（第四壁）、２ｅ…右壁（第三壁）、２ｆ…下壁（第四壁）、２ａ１〜２ｆ１…表面、２ｈ〜２ｋ…角部、２ｎ…ボス部、２ｓ，２ｔ…溝部、２ｖ…台座部、２ｖ１…面、２ｚ…引掛部、２ｚ１…第一部分、２ｚ２…第二部分、２ｚ３…端部、３…表示装置、３ａ…表示画面、６…弾性体、６ａ…ベース部、６ｂ…取付片部、６ｃ…係合部、６ｄ…開口部、６ｅ…突出部、６ｆ…凹部、２１…フロントカバー（第一カバー）、２２…ミドルカバー（第二カバー）、２３…リヤカバー（第三カバー）、Ｃ…中心部、Ｘ…第一方向、Ｙ…第二方向。
【要約】
【課題】筐体と設置面との干渉をより抑制できたり等、より不都合が少なくなるよう改善された新規な構成の電子機器を得る。
【解決手段】電子機器１は、筐体２と、筐体２の角部２ｈ〜２ｋに配置され、前壁２ａ（第一壁）、後壁２ｂ（第二壁）、左壁２ｃ（第三壁）、上壁２ｄ（第四壁）、右壁２ｅ（第三壁）、および下壁２ｆ（第四壁）のそれぞれの壁の表面２ａ１，２ｂ１，２ｃ１，２ｄ１，２ｅ１，２ｆ１よりも突出した状態に設けられた弾性体６と、を備える。
【選択図】図１【図１】
0006674122.tif 000002
【図２】
0006674122.tif 000003
【図３】
0006674122.tif 000004
【図４】
0006674122.tif 000005
【図５】
0006674122.tif 000006
【図６】
0006674122.tif 000007
【図７】
0006674122.tif 000008
【図８】
0006674122.tif 000009
【図９】
0006674122.tif 000010
【図１０】
0006674122.tif 000011
【図１１】
0006674122.tif 000012